(57)【要約】      （修正有）【課題】Ｘ線撮影での被検体位置決め基準サイドとしてのＦＰＤの上部サイドに対するＸ線ビームの実照射域の位置ズレを適切に解消する。【解決手段】立位撮影術式の設定下、Ｘ線ビームＸＡの実照射域に縮小サイズ用のＸ線ビームＸＡの実照射域ＸＡ２が指定された場合、Ｘ線管がＸ線検出面２Ａと平行な方向に移動して、Ｘ線が照射された時に、通常サイズ用のＸ線ビームＸＡの実照射域と縮小サイズ用のＸ線ビームＸＡの実照射域のサイズの差ΔＸだけＦＰＤ２の上部サイド２Ｕの方へＸ線ビームＸＡの実照射域ＸＡ２がシフトさせられ、Ｘ線ビームの実照射域の位置ズレが解消される。Ｘ線ビームＸＡの実照射域は単にシフトするだけで、Ｘ線ビームＸＡの実照射域とＸ線画像の対応関係は崩れず、Ｘ線管はＸ線検出面２Ａに平行な向きに移動するだけで、Ｘ線ビームＸＡの向きも狂わず、位置ズレの解消は適切になされる。【選択図】図８
2007020869.tif 000002
【特許請求の範囲】
【請求項１】
被検体にＸ線ビームを照射するＸ線照射手段とＸ線ビームの照射により生じる被検体の透過Ｘ線像を検出するＸ線受像手段が、水平軸を回転軸として回転可能な保持アーム部材の一端側と他端側に互いに向き合った状態で取り付けられていて、保持アーム部材の回転により、Ｘ線照射手段とＸ線受像手段が横臥している被検体を挟んで上下に位置してＸ線撮影が行なわれる臥位Ｘ線撮影用の撮影術式と、Ｘ線照射手段とＸ線受像手段が起立している被検体を挟んで前後に位置してＸ線撮影が行なわれる立位Ｘ線撮影用の撮影術式とが選択的に設定できるのに加えて、Ｘ線受像手段の特定サイドが特定の撮影術式で行なわれるＸ線撮影の際の被検体位置決め基準サイドとして予め定められているＸ線撮影装置において、Ｘ線受像手段のＸ線検出面におけるＸ線ビームの実照射域のサイズとして通常サイズ（ノーマルサイズ）および通常サイズよりも小さい縮小サイズを選択的に指定できるＸ線照射域サイズ指定手段と、Ｘ線受像手段のＸ線検出面でのＸ線ビームの実照射域をＸ線照射域サイズ指定手段で指定されたサイズ通りに規定する実照射域サイズ規定手段と、Ｘ線受像手段の特定サイドが被検体位置決め基準サイドとして決められている特定の撮影術式でＸ線撮影を行なうに際してＸ線ビームの実照射域が縮小サイズに指定された場合にＸ線検出面におけるＸ線ビームの実照射域を通常サイズと縮小サイズの間のサイズの差に見合った距離だけ被検体位置決め基準サイドの方へシフトさせる為にＸ線照射手段を実照射域サイズ規定手段ごとＸ線検出面に平行な向きに移動させるＸ線照射域シフト手段とを備えていることを特徴とするＸ線撮影装置。
【請求項２】
請求項１に記載のＸ線撮影装置において、Ｘ線受像手段の特定サイドが被検体位置決め基準サイドとして予め決められている特定の撮影術式が立位Ｘ線撮影用の撮影術式であって、Ｘ線照射手段と共に起立している被検体を挟んで前後に位置した時のＸ線受像手段の上部サイドが被検体位置決め基準サイドであるＸ線撮影装置。
【請求項３】
請求項２に記載のＸ線撮影装置において、Ｘ線受像手段のＸ線検出面およびＸ線ビームの実照射域の平面形状がいずれも方形であり、Ｘ線照射域シフト手段は、方形のＸ線ビームの実照射域の４辺のうち被検体位置決め基準サイド寄りの辺が方形のＸ線検出面の４辺のうち被検体位置決め基準サイド寄りの辺に一致する処までＸ線ビームの実照射域のシフトをおこなうＸ線撮影装置。
【請求項４】
請求項１から３のいずれかに記載のＸ線撮影装置において、撮影術式の指定をおこなう撮影術式指定手段を備えていて、撮影術式指定手段による撮影術式の指定とＸ線照射域サイズ指定手段によるＸ線ビームの実照射域のサイズの指定の両方が完了するのに連動してＸ線照射域シフト手段が作動するＸ線撮影装置。
【請求項５】
請求項１から４のいずれかに記載のＸ線撮影装置において、撮影術式の指定とＸ線ビームの実照射域のサイズの指定とが、ひとつの操作で纏めて行なわれるＸ線撮影装置。
【請求項６】
請求項１から５のいずれかに記載のＸ線撮影装置において、Ｘ線検出面では微小なＸ線検出素子が２次元状に配列されているフラットパネル型Ｘ線検出器（ＦＰＤ）をＸ線受像手段として備えていると共に、フラットパネル型Ｘ線検出器のＸ線検出素子のうちＸ線ビームの実照射域に位置するＸ線検出素子により検出されるＸ線検出信号にしたがって被検体の透過Ｘ線像に相応するＸ線画像を取得するＸ線画像取得手段を備えているのに加えて、Ｘ線ビームシフト手段によるＸ線ビームの実照射域のシフトが行なわれた時は、Ｘ線画像取得手段は、シフト後のＸ線ビームの実照射域に位置するＸ線検出素子により検出されるＸ線検出信号にしたがってＸ線画像を取得するＸ線撮影装置。
【発明の詳細な説明】
【技術分野】
【０００１】
この発明は、Ｘ線ビーム照射用のＸ線照射手段と透過Ｘ線像検出用のＸ線受像手段が、水平軸を回転軸として回転可能な保持アーム部材の一端側と他端側に互いに向き合った状態で取り付けられていて、保持アーム部材の回転により、Ｘ線照射手段とＸ線受像手段が横臥している被検体を挟んで上下に位置してＸ線撮影が行なわれる臥位Ｘ線撮影用の撮影術式と、Ｘ線照射手段とＸ線受像手段が起立している被検体を挟んで前後に位置してＸ線撮影が行なわれる立位Ｘ線撮影用の撮影術式とが選択的に設定できるのに加えて、Ｘ線受像手段の特定サイドが特定の撮影術式で行なわれるＸ線撮影の被検体位置決め基準サイドとして予め定められているＸ線撮影装置に係り、特に特定の撮影術式で行なわれるＸ線撮影の際の被検体位置決め基準サイドとして予め定められているＸ線受像手段の特定サイドに対するＸ線ビームの実照射域の位置ズレを解消するための技術に関する。
【背景技術】
【０００２】
従来、図１０に示すように、被検体（患者）ＭにＸ線ビームを照射するＸ線管６１とＸ線ビームの照射により生じる被検体Ｍの透過Ｘ線像を検出するＸ線受像器６２が、水平軸ＨＰを回転軸として回転可能な保持アーム部材６３の一端側と他端側に互いに向き合った状態で取り付けられていて、保持アーム部材６３の回転により、臥位Ｘ線撮影用の撮影術式と立位Ｘ線撮影用の撮影術式とが選択的に設定できるＸ線撮影装置が病院などの医療機関で使用されている。
【０００３】
すなわち、臥位Ｘ線撮影用の撮影術式の場合、図１１に示すように、保持アーム部材６３を回転させて垂直状態とすることで天板６４の上で横臥している被検体Ｍを挟んでＸ線管６１とＸ線受像器６２を上下に位置させてＸ線撮影を行なう。
立位Ｘ線撮影用の撮影術式の場合、図１２に示すように、天板６４を退け、保持アーム部材６３を回転させて水平状態とすることで、床に起立している被検体Ｍを挟んでＸ線管６１とＸ線受像器６２を前後に位置させてＸ線撮影を行なうのに加え、Ｘ線受像器６２の上部サイド６２ＵがＸ線撮影の際の被検体位置決め基準サイドとして予め定められていて、立位Ｘ線撮影用の撮影術式で被検体Ｍの胸部を撮る時は、被検体Ｍが顎をＸ線受像器６２の上部サイド６２Ｕに押し当てることにより被検体Ｍを位置決め状態にしておいてＸ線撮影を行なう。
【０００４】
そして、いずれの撮影術式であっても、Ｘ線撮影中、Ｘ線管６１からのＸ線ビームＸａの照射により生じる被検体Ｍの透過Ｘ線像がＸ線受像器６２で検出されると共に、Ｘ線受像器６２の後段では、透過Ｘ線像の検出に伴ってＸ線受像器６２から出力されるＸ線検出信号にしたがって被検体Ｍの透過Ｘ線像に相応する被検体ＭのＸ線画像が取得される。取得されたＸ線画像は、適時、表示モニタ（図示省略）の画面に映し出されたり、プリンタ（図示省略）によりシートに印刷されたりする。
【０００５】
一方、Ｘ線受像器６２のＸ線検出面６２ＡにおけるＸ線ビームＸａの実照射域のサイズは、Ｘ線管６１の前に装備されているコリメータ６５により、図１３（ａ）に示すように、Ｘ線ビームＸａの実照射域Ｘａ１がＸ線検出面６２Ａの（有効領域）の大きさと同一の大きさになる通常サイズ（ノーマルサイズ）の他にも、例えば図１３（ｂ）に示すように、Ｘ線ビームＸａの実照射域Ｘａ２がＸ線検出面６２Ａの（有効領域）の大きさよりも狭くて通常サイズより小さな縮小サイズが選択的に規定できる構成とされている。
他方、Ｘ線ビームＸａの実照射域Ｘａ１，Ｘａ２は被検体Ｍの透過Ｘ線像の投影域であるので、Ｘ線ビームＸａのＸａ１，Ｘａ２に投影される透過Ｘ線像が検出・画像化される。したがって、例えば、Ｘ線ビームＸａの実照射域のサイズを縮小サイズにすると、取得された縮小サイズの画像は表示モニタの画面サイズに合わせて拡大表示される。
【０００６】
上述した従来のＸ線撮影装置の場合、臥位Ｘ線撮影用の撮影術式専用のＸ線撮影装置と、立位Ｘ線撮影用の撮影術式専用のＸ線撮影装置を設置しなくても、Ｘ線ビーム照射用のＸ線管６１と透過Ｘ線像検出用のＸ線受像器６２が取り付けられている保持アーム部材６３を回転させる程度で、臥位Ｘ線撮影用の撮影術式と立位Ｘ線撮影用の撮影術式の両方が一つの装置で簡単に選択設定できるので、いわば省装置化を図れることになる。
【発明の開示】
【発明が解決しようとする課題】
【０００７】
しかしながら、上記従来のＸ線撮影装置は、立位Ｘ線撮影用の撮影術式で行なわれるＸ線撮影の際の被検体位置決め基準サイドとして予め定められているＸ線受像器６２の上部サイド６２Ｕに対するＸ線ビームＸａの実照射域の位置が往々にしてズレてしまうという問題がある。
すなわち、立位Ｘ線撮影用の撮影術式で被検体Ｍの胸部を撮る場合、例えばＸ線画像の倍率を上げたり、胸部の下寄り側でのＸ線被曝を避ける為に、Ｘ線ビームＸａの実照射域を縮小サイズにすると、図１３（ｂ）に示すように、Ｘ線ビームＸａの実照射域Ｘａ１がＸ線受像器６２の上部サイド６２Ｕから離れてしまうので、Ｘ線受像器６２の上部サイド６２Ｕに対するＸ線ビームＸａの実照射域Ｘａ１の位置がズレてしまうのである。その結果、胸部のＸ線撮影では必要度（ウエイト）の高い胸部の上側部分がＸ線ビームＸａの実照射域Ｘａ１から外れて撮れない不都合を招来する。
【０００８】
勿論、Ｘ線受像器６２の上部サイド６２Ｕに対するＸ線ビームＸａの実照射域の位置がズレるのを防止できても、Ｘ線ビームＸａの実照射域とＸ線画像の対応関係が崩れたり、Ｘ線検出面６２Ａに対するＸ線ビームＸａの向きが狂ったりしたのでは、Ｘ線受像器６２の上部サイド６２Ｕに対するＸ線ビームＸａの実照射域の位置がズレるのを適切に防止できたことにはならない。
【０００９】
この発明は、このような事情に鑑みてなされたものであって、省装置化が図れる利点を損なわずに、特定の撮影術式で行なわれるＸ線撮影の際の被検体位置決め基準サイドとして予め定められているＸ線受像手段の特定サイドに対するＸ線ビームの実照射域の位置ズレを適切に解消することができるＸ線撮影装置を提供することを目的とする。
【課題を解決するための手段】
【００１０】
この発明は、このような目的を達成するために、次のような構成をとる。
すなわち、請求項１に記載の発明に係るＸ線撮影装置は、被検体にＸ線ビームを照射するＸ線照射手段とＸ線ビームの照射により生じる被検体の透過Ｘ線像を検出するＸ線受像手段が、水平軸を回転軸として回転可能な保持アーム部材の一端側と他端側に互いに向き合った状態で取り付けられていて、保持アーム部材の回転により、Ｘ線照射手段とＸ線受像手段が横臥している被検体を挟んで上下に位置してＸ線撮影が行なわれる臥位Ｘ線撮影用の撮影術式と、Ｘ線照射手段とＸ線受像手段が起立している被検体を挟んで前後に位置してＸ線撮影が行なわれる立位Ｘ線撮影用の撮影術式とが選択的に設定できるのに加えて、Ｘ線受像手段の特定サイドが特定の撮影術式で行なわれるＸ線撮影の際の被検体位置決め基準サイドとして予め定められているＸ線撮影装置において、Ｘ線受像手段のＸ線検出面におけるＸ線ビームの実照射域のサイズとして通常サイズ（ノーマルサイズ）および通常サイズよりも小さい縮小サイズを選択的に指定できるＸ線照射域サイズ指定手段と、Ｘ線受像手段のＸ線検出面でのＸ線ビームの実照射域をＸ線照射域サイズ指定手段で指定されたサイズ通りに規定する実照射域サイズ規定手段と、Ｘ線受像手段の特定サイドが被検体位置決め基準サイドとして決められている特定の撮影術式でＸ線撮影を行なうに際してＸ線ビームの実照射域が縮小サイズに指定された場合にＸ線検出面におけるＸ線ビームの実照射域を通常サイズと縮小サイズの間のサイズの差に見合った距離だけ被検体位置決め基準サイドの方へシフトさせる為にＸ線照射手段を実照射域サイズ規定手段ごとＸ線検出面に平行な向きに移動させるＸ線照射域シフト手段とを備えていることを特徴とするものである。
【００１１】
［作用・効果］請求項１の発明のＸ線撮影装置の場合、臥位Ｘ線撮影用の撮影術式で撮影する時は、保持アーム部材を回転させて垂直状態とすることで横臥している被検体を挟んでＸ線照射手段とＸ線受像手段を上下に位置させてＸ線撮影を行い、立位Ｘ線撮影用の撮影術式で撮影する時は、保持アーム部材を回転させて水平状態とすることで起立している被検体を挟んでＸ線照射手段とＸ線受像手段を前後に位置させてＸ線撮影を行なう。
その結果、臥位Ｘ線撮影用の撮影術式専用のＸ線撮影装置と立位Ｘ線撮影用の撮影術式専用のＸ線撮影装置の両方を設置しなくても、Ｘ線照射手段とＸ線受像手段が取り付けられている保持アーム部材を回転させる程度のことで、臥位Ｘ線撮影用の撮影術式と立位Ｘ線撮影用の撮影術式が一つの装置でどちらでも簡単に選択設定できるので、省装置化が図れる。
【００１２】
加えて、Ｘ線照射域サイズ指定手段によってＸ線受像手段のＸ線検出面におけるＸ線ビームの実照射域のサイズが通常サイズあるいは通常サイズよりも小さい縮小サイズに指定されると共に、Ｘ線照射中は、Ｘ線照射域サイズ指定手段で指定されたサイズの通りに実照射域サイズ規定手段がＸ線受像手段のＸ線検出面でのＸ線ビームの実照射域を規定する。
また、Ｘ線受像手段の特定サイドがＸ線撮影の際の被検体位置決め基準サイドとして予め定められている特定の撮影術式でＸ線撮影が行なわれる場合は、Ｘ線受像手段の特定サイドを被検体位置決め基準サイドにして被検体の位置決めを行なってから、Ｘ線撮影を行なう。
【００１３】
さらに、Ｘ線受像手段の特定サイドがＸ線撮影の際の被検体位置決め基準サイドとして予め定められている特定の撮影術式でＸ線撮影が行なわれるのに加えて、Ｘ線検出面におけるＸ線ビームの実照射域のサイズが通常サイズよりも小さい縮小サイズに指定された場合は、Ｘ線照射域シフト手段が作動してＸ線照射手段は実照射域サイズ規定手段ごとＸ線検出面に平行な向きに移動させられて、Ｘ線照射中、Ｘ線検出面におけるＸ線ビームの実照射域が通常サイズと縮小サイズの間のサイズの差に見合った距離だけ被検体位置決め基準サイドの方へシフトさせられる。その結果、Ｘ線ビームの実照射域と被検体位置決め基準サイドの間隔が縮まり、Ｘ線受像手段の被検体位置決め基準サイドである特定サイドに対するＸ線ビームの実照射域の位置ズレが解消される。
【００１４】
そして、Ｘ線照射域シフト手段によりＸ線ビームの実照射域は単にシフトするだけでＸ線検出面におけるＸ線ビームの実照射域のサイズには変化がないので、Ｘ線ビームの実照射域とＸ線画像の対応関係は崩れない。また、Ｘ線照射手段はＸ線照射域シフト手段によりＸ線検出面に平行な向きに移動させられるだけでＸ線ビームの照射方向には変化がないので、Ｘ線検出面に対するＸ線ビームの向きも狂わない。その結果、Ｘ線受像手段の特定サイドに対するＸ線ビームの実照射域の位置ズレの解消は適切になされることになる。
【００１５】
また、請求項２に記載の発明は、請求項１に記載のＸ線撮影装置において、Ｘ線受像手段の特定サイドが被検体位置決め基準サイドとして予め決められている特定の撮影術式が立位Ｘ線撮影用の撮影術式であって、Ｘ線照射手段と共に起立している被検体を挟んで前後に位置した時のＸ線受像手段の上部サイドが被検体位置決め基準サイドであるものである。
【００１６】
［作用・効果］請求項２の発明の装置の場合、立位Ｘ線撮影用の撮影術式でＸ線撮影を行なうにあたって、Ｘ線照射手段と共に起立している被検体を挟んで前後に位置した時のＸ線受像手段の上部サイドを被検体位置決め基準サイドとして被検体の位置決めが行なわれのに加え、Ｘ線照射域シフト手段が作動した時は、Ｘ線照射中、Ｘ線検出面におけるＸ線ビームの実照射域がＸ線受像手段の上部サイドの方へシフトさせられる。
【００１７】
また、請求項３に記載の発明は、請求項２に記載のＸ線撮影装置において、Ｘ線受像手段のＸ線検出面およびＸ線ビームの実照射域の平面形状がいずれも方形であり、Ｘ線照射域シフト手段は、方形のＸ線ビームの実照射域の４辺のうち被検体位置決め基準サイド寄りの辺が方形のＸ線検出面の４辺のうち被検体位置決め基準サイド寄りの辺に一致する処までＸ線ビームの実照射域のシフトをおこなうものである。
【００１８】
［作用・効果］請求項３の発明の装置の場合、Ｘ線照射域シフト手段が作動した時は、Ｘ線照射中、方形のＸ線ビームの実照射域の４辺のうち被検体位置決め基準サイド寄りの辺が方形のＸ線検出面の４辺のうち被検体位置決め基準サイド寄りの辺に一致する処までＸ線ビームの実照射域をシフトさせられる。
【００１９】
また、請求項４に記載の発明は、請求項１から３のいずれかに記載のＸ線撮影装置において、撮影術式の指定をおこなう撮影術式指定手段を備えていて、撮影術式指定手段による撮影術式の指定とＸ線照射域サイズ指定手段によるＸ線ビームの実照射域のサイズの指定の両方が完了するのに連動してＸ線照射域シフト手段が作動するものである。
【００２０】
［作用・効果］請求項４の発明の装置の場合、撮影術式指定手段による撮影術式の指定とＸ線照射域サイズ指定手段によるＸ線ビームの実照射域のサイズの指定との両方が完了するのに連動してＸ線照射域シフト手段が作動するので、Ｘ線照射域シフト手段を作動させる操作が不要となる。
【００２１】
また、請求項５に記載の発明は、請求項１から４のいずれかに記載のＸ線撮影装置において、撮影術式の指定とＸ線ビームの実照射域のサイズの指定とが、ひとつの操作で纏めて行なわれるものである。
【００２２】
［作用・効果］請求項５の発明の装置の場合、ひとつの指定操作で撮影術式の操作とＸ線ビームの実照射域のサイズの指定とが纏めて行なえるので、撮影術式とＸ線ビームの実照射域のサイズの指定操作が容易となる。
【００２３】
また、請求項６に記載の発明は、請求項１から５のいずれかに記載のＸ線撮影装置において、Ｘ線検出面では微小なＸ線検出素子が２次元状に配列されているフラットパネル型Ｘ線検出器（以下、適宜「ＦＰＤ」と略記）をＸ線受像手段として備えていると共に、フラットパネル型Ｘ線検出器のＸ線検出素子のうちＸ線ビームの実照射域に位置するＸ線検出素子により検出されるＸ線検出信号にしたがって被検体の透過Ｘ線像に相応するＸ線画像を取得するＸ線画像取得手段を備えているのに加えて、Ｘ線ビームシフト手段によるＸ線ビームの実照射域のシフトが行なわれた時は、Ｘ線画像取得手段は、シフト後のＸ線ビームの実照射域に位置するＸ線検出素子により検出されるＸ線検出信号にしたがってＸ線画像を取得するものである。
【００２４】
［作用・効果］請求項６の発明の装置の場合、Ｘ線受像手段がＦＰＤであるのでＸ線受像手段の薄型化および軽量化が図れるのに加え、Ｘ線ビームシフト手段によるＸ線ビームの実照射域のシフトが行なわれた時は、Ｘ線画像取得手段がシフト後のＸ線ビームの実照射域に位置するＸ線検出素子により検出されるＸ線検出信号にしたがってＸ線画像を取得するので、Ｘ線ビームシフト手段によるＸ線ビームの実照射域のシフトが行なわれた時も、速やかに適正なＸ線画像が取得できる。
【発明の効果】
【００２５】
この発明のＸ線撮影装置の場合、臥位Ｘ線撮影用の撮影術式専用のＸ線撮影装置と、立位Ｘ線撮影用の撮影術式専用のＸ線撮影装置を設置しなくても、Ｘ線照射手段とＸ線受像手段が取り付けられている保持アーム部材を回転させる程度のことで、臥位Ｘ線撮影用の撮影術式と立位Ｘ線撮影用の撮影術式が一つの装置でどちらでも簡単に選択設定できるので、省装置化が図れる。
【００２６】
さらに、この発明のＸ線撮影装置では、Ｘ線受像手段の特定サイドがＸ線撮影の際の被検体位置決め基準サイドとして予め定められている特定の撮影術式でＸ線撮影が行なわれるのに加えて、Ｘ線検出面におけるＸ線ビームの実照射域のサイズが通常サイズよりも小さい縮小サイズに指定された場合、Ｘ線照射域シフト手段が作動してＸ線照射手段が実照射域サイズ規定手段ごとＸ線検出面に平行な向きに移動させられて、Ｘ線照射中、Ｘ線検出面におけるＸ線ビームの実照射域が通常サイズと縮小サイズの間のサイズの差に見合った距離だけ被検体位置決め基準サイドの方へシフトさせられることになる。その結果、Ｘ線ビームの実照射域と被検体位置決め基準サイドの間隔が縮まり、Ｘ線受像手段の特定サイドに対するＸ線ビームの実照射域の位置ズレを解消できる。
【００２７】
また、Ｘ線照射域シフト手段によりＸ線ビームの実照射域は単にシフトするだけでＸ線検出面におけるＸ線ビームの実照射域のサイズには変化がないので、Ｘ線ビームの実照射域とＸ線画像の対応関係は崩れない。それに、Ｘ線照射域シフト手段によりＸ線照射手段はＸ線検出面に平行な向きに移動させられるだけでＸ線ビームの照射方向には変化がないので、Ｘ線検出面に対するＸ線ビームの向きも狂わない。その結果、Ｘ線受像手段の特定サイドに対するＸ線ビームの実照射域の位置ズレの解消は適切になされることになる。
よって、この発明のＸ線撮影装置によれば、省装置化が図れる利点を損なわずに、特定の撮影術式で行なわれるＸ線撮影の際の被検体位置決め基準サイドとして予め定められているＸ線受像手段の特定サイドに対するＸ線ビームの実照射域の位置ズレを適切に解消することができる。
【実施例】
【００２８】
この発明のＸ線撮影装置の実施例を図面を参照して説明する。図１は実施例に係る医用のＸ線撮影装置の構成を臥位Ｘ線撮影時の状態で示すブロック図、図２は実施例のＸ線撮影装置のＸ線撮像系の臥位Ｘ線撮影時の状態を示す立面図、図３は実施例のＸ線撮影装置のＸ線撮像系の立位Ｘ線撮影時の状態を示す立面図である。
【００２９】
実施例のＸ線撮影装置は、図１〜図３に示すように、撮影対象である被検体（患者）ＭにＸ線ビームＸＡを照射するＸ線管１とＸ線ビームＸＡの照射により生じる被検体Ｍの透過Ｘ線像を検出するフラットパネル型Ｘ線検出器（以下、適宜「ＦＰＤ」と略記）２が、水平軸ＨＰを回転軸として回転可能に撮像系基台３Ａに軸支されている保持アーム部材３の一端側と他端側に互いに向き合った状態で取り付けられていて、保持アーム部材３の回転により、臥位Ｘ線撮影用の撮影術式と立位Ｘ線撮影用の撮影術式とが選択的に設定できる構成とされている。
【００３０】
すなわち、臥位Ｘ線撮影用の撮影術式の場合、図１や図２に示すように、保持アーム部材３を回転させて垂直状態とすることで天板４の上で横臥している被検体Ｍを挟んでＸ線管１とＦＰＤ２を上下に位置させてＸ線撮影を行なう。
立位Ｘ線撮影用の撮影術式の場合、図３に示すように、天板４を移動させて退け、保持アーム部材３を回転させて水平状態とすることで、床５の上で起立している被検体Ｍを挟んでＸ線管１とＦＰＤ２を前後に位置させてＸ線撮影を行なう。
保持アーム部材３の回転や天板４の移動は、オペレータが手動で行なう構成であってもよいし、電動で行なわれる構成であってもよい。
【００３１】
さらに、立位Ｘ線撮影用の撮影術式の場合、図３に示すように、ＦＰＤ２の上部サイド（特定サイド）２ＵがＸ線撮影の際の被検体位置決め基準サイドとして予め定められていて、被検体Ｍの胸部を立位Ｘ線撮影用の撮影術式で撮る時は、撮影に先立って被検体Ｍが顎をＦＰＤ２の上部サイド２Ｕに押し当てることにより位置決めしておいてからＸ線撮影を行なう。
【００３２】
また、実施例の装置の場合、Ｘ線管１がＸ線照射制御部１Ａの制御にしたがって管電圧・管電流等を規定した照射条件通りにＸ線ビームＸＡを照射するのに伴ってＦＰＤ２から出力されるディジタル形式のＸ線検出信号に基づいてＸ線画像を取得するＸ線画像取得部６と、Ｘ線画像取得部６で取得されたＸ線画像を一時的に保持する取得画像メモリ７の他に、Ｘ線画像をシートの上にプリントしてＸ線写真のかたちで出力する画像印刷部８と、Ｘ線画像をコンパクトディスク等の画像記録媒体に記録して画像信号のかたちで保存する画像保存部９と、Ｘ線画像や操作メニュー等を表示する表示モニタ１０と、Ｘ線撮影の実行に必要な指定操作や指令・データの入力操作等を行なう操作部１１などが配備されている。
【００３３】
一方、実施例の装置では、通常、Ｘ線管１とＦＰＤ２は、図４に示すように、Ｘ線ビームＸＡのＸ線照射軸ＸＰがＸ線検出面２Ａの中心２Ｂを通り抜けてＸ線検出面２Ａと直交する配置状態となっている。
また、実施例の装置では、Ｘ線ビームＸＡの実照射域ＸＡとＦＰＤ２のＸ線検出面２Ａの平面形状は、どちらも正方形ないし長方形といった方形である。つまり、Ｘ線管１の前面に装備されているコリーメタ１２によりＸ線ビームＸＡの実照射域ＸＡが方形に整形される。より具体的には、コリメータ１２の内部に配備されているＸ線遮蔽材製リーフ１２ＡによりＸ線管１から放射されるＸ線を制限することでＸ線ビームＸＡの実照射域ＸＡが方形に絞られる構成とされている。
【００３４】
他方、実施例の装置の場合、ＦＰＤ２のＸ線検出面２ＡにおけるＸ線ビームＸＡの実照射域のサイズは、コリメータ１２により、図５（ａ）に示すように、Ｘ線ビームＸＡの実照射域ＸＡ１がＸ線検出面２Ａの（有効領域）の大きさと同一の大きさになる通常サイズ（ノーマルサイズ）に規定できる他に、例えば図５（ｂ）に示すように、Ｘ線ビームＸＡの実照射域ＸＡ２がＸ線検出面２Ａの（有効領域）の大きさよりも狭くて通常サイズより小さな縮小サイズに選択的に規定可能とされている。
【００３５】
具体的には、操作部１１の入力操作で通常サイズと縮小サイズの選択的な指定操作を行なうと、操作部１１の入力操作で指定されたサイズがＸ線照射域サイズ指定部１３にセットされるのに加えて、Ｘ線照射域サイズ指定部１３がセットされた指定サイズにしたがってコリメータ１２に付設されている（電動モータ等からなる）リーフ開閉機構１２Ｂを駆動してＸ線遮蔽材製リーフ１２Ａを移動させ、Ｘ線照射中、Ｘ線ビームＸＡの実照射域を指定されたサイズに規定する構成とされている。
操作部１１を使用して行なうサイズの具体的な指定の仕方としては、例えば表示モニタ１０の画面に表示されたサイズ指定用アイコン（通常サイズの「１２インチ×１２インチ」）や縮小サイズの「１０インチ×１０インチ」など）のうち適当なものをマウスでクリックする指定方式が挙げられる。
【００３６】
例えば、通常サイズから縮小サイズに変更指定された時は、Ｘ線照射域サイズ指定部１３の制御にしたがってリーフ開閉機構１２ＢがＸ線遮蔽材製リーフ１２Ａを内向きに移動させるので、Ｘ線が照射された場合、Ｘ線検出面２Ａよりも狭いＸ線ビームＸＡの実照射域ＸＡ２となる。逆に、縮小サイズから通常サイズに変更指定された時は、Ｘ線照射域サイズ指定部１３の制御にしたがってリーフ開閉機構１２ＢがＸ線遮蔽材製リーフ１２Ａを外向きに移動させるので、Ｘ線が照射された場合、Ｘ線検出面２Ａと同じ大きさのＸ線ビームＸＡの実照射域ＸＡ１となる。
【００３７】
実施例の装置のＦＰＤ２の場合は、図６に示すように、Ｘ線検出面２Ａでは微小なＸ線検出素子２ａが２次元状に配列されていて、Ｘ線受像系の軽量・薄型化が図られる。そして、Ｘ線ビームＸＡの実照射域ＸＡ１，ＸＡ２は被検体Ｍの透過Ｘ線像の投影域であるので、Ｘ線ビームＸＡの実照射域ＸＡ１，ＸＡ２に投影される透過Ｘ線像が検出・画像化されることになる。つまり、Ｘ線画像取得部６では、ＦＰＤ２の多数のＸ線検出素子２ａのうち、Ｘ線ビームＸＡの実照射域ＸＡ１あるいは実照射域ＸＡ２に位置するＸ線検出素子２ａにより検出されるＸ線検出信号にしたがって被検体Ｍの透過Ｘ線像に相応するＸ線画像が取得される。したがって、例えば、Ｘ線ビームＸＡの実照射域のサイズを通常サイズから縮小サイズにすると、取得された縮小サイズの画像は表示モニタの画面サイズに合わせて拡大表示される。
【００３８】
また、実施例の装置は、臥位Ｘ線撮影用の撮影術式および立位Ｘ線撮影用の撮影術式を選択的に指定できる構成とされている。つまり、操作部１１の入力操作で臥位Ｘ線撮影用の撮影術式と立位Ｘ線撮影用の撮影術式の選択的な指定操作が行えると共に、操作部１１の入力操作で指定された撮影術式が撮影術式指定部１４にセットされる。
操作部１１を使用して行なう撮影術式の具体的な指定の仕方としては、例えば表示モニタ１０の画面に表示された術式種類指定用アイコン（「立位」や「臥位」など）のうち適当なものをマウスでクリックしてから撮影部位指定用アイコン（「胸部正面」や「下腹部正面」あるいは「頭部側面」など）のうち適当なものをマウスでクリックする指定方式が挙げられる。
なお、臥位Ｘ線撮影用の撮影術式と立位Ｘ線撮影用の撮影術式の指定に連動して保持アーム部材３が回転し、垂直状態あるいは水平状態のうち指定された撮影術式に対応する姿勢に保持アーム部材３が移行する構成とされていてもよい。
【００３９】
さらに、実施例の装置は、ＦＰＤ２の上部サイド（特定サイド）２Ｕが被検体位置決め基準サイドとして決められている立位Ｘ線撮影用の撮影術式（特定の撮影術式）でＸ線撮影を行なうに際してＸ線ビームＸＡの実照射域が縮小サイズに指定された場合にＸ線検出面２ＡにおけるＸ線ビームＸＡの実照射域を通常サイズと縮小サイズの間のサイズの差の距離だけ被検体位置決め基準サイドである上部サイド２Ｕの方へシフトさせる為にＸ線管１をコリメータ１２ごとＸ線検出面２Ａに平行な向きに移動させるＸ線照射域シフト手段を備えている点を特徴としているので、以下、このＸ線照射域シフト手段について、具体的に説明する。
【００４０】
すなわち、実施例の装置の場合、Ｘ線照射域シフト手段は、Ｘ線管１をコリメータ１２ごとＸ線検出面２Ａに平行な向きに移動させるＸ線管平行移動機構１５と、Ｘ線照射域サイズ指定部１３に縮小サイズがセットされ、撮影術式指定部１４に立位Ｘ線撮影用の撮影術式がセットされた場合に、操作部１１を使ってＸ線照射域シフト手段によるＸ線ビームＸＡの実照射域のシフト実行を指令する操作が行なわれた時はＸ線検出面２ＡにおけるＸ線ビームＸＡの実照射域を通常サイズと縮小サイズの間のサイズの差ΔＸを求めてサイズの差ΔＸだけ被検体位置決め基準サイドである上部サイド２Ｕの方へシフトさせる為にＸ線管平行移動機構１５を駆動するＸ線照射域シフト制御部１６とで構成されている。
【００４１】
操作部１１によるＸ線ビームＸＡの実照射域の具体的なシフト実行指令方式としては、表示モニタ１０の画面に表示されたシフト実行指令用アイコンをマウスでクリックする指令方式が挙げられる。この場合、シフト実行指令用アイコンをマウスで再びクリックすると、Ｘ線ビームＸＡの実照射域のシフト実行が解除される構成とされていてもよい。
【００４２】
Ｘ線管平行移動機構１５は、図７に示すように、Ｘ線管１が表面に固定されている断面Ｌ字状のＸ線管取り付けベース１５Ａと、Ｘ線管取り付けベース１５Ａの裏面に一体的に付設された係止用凸部１５Ｂ，１５Ｂと、各係止用凸部１５Ｂと係合するガイド用の案内ガイドレール１５Ｃ，１５Ｃと、Ｘ線管取り付けベース１５Ａの裏面に一体的に付設されたラック１５Ｄと、ラック１５Ｄと噛み合うピニオンギヤ１５Ｅと、ピニオンギヤ１５Ｅを回転させる電気モータ１５Ｆとから構成されている。Ｘ線管平行移動機構１５が作動すると、電気モータ１５Ｆが回転してピニオンギヤ１５Ｅが回るのに伴ってピニオンギヤ１５Ｅと噛み合うラック１５ＤがＸ線検出面２Ａと平行な方向に直進移動すると共に、ラック１５Ｄと一体関係にあるＸ線管取り付けベース１５Ａがラック１５Ｄの直進移動によって各係止用凸部１５Ｂと係合する２本の案内ガイドレール１５Ｃに案内されながら移動するのに連れ、Ｘ線管１はコリメータ１２ごとＸ線検出面２Ａに平行な向きに移動する。
【００４３】
立位Ｘ線撮影用の撮影術式の設定下、Ｘ線ビームＸＡの実照射域が通常サイズから縮小サイズに変更指定され、操作部１１でＸ線ビームＸＡの実照射域のシフト実行を指令する操作が行なわれた時は、Ｘ線管１がコリメータ１２ごと図２中の矢印ＲＡあるいは図３中の矢印Ｒａで示す向きに移動して、Ｘ線が照射された場合、Ｘ線ビームＸＡの実照射域がＦＰＤの上部サイド２Ｕの方へシフトさせられる。
より具体的に言えば、例えば、図８（ａ）に示すように、通常サイズ用のＸ線ビームＸＡの実照射域ＸＡ１が縮小サイズ用のＸ線ビームＸＡの実照射域ＸＡ２に変更指定された場合は、図８（ｂ）に示すように、Ｘ線照射中、実照射域ＸＡ１と実照射域ＸＡ２のサイズの差ΔＸだけＦＰＤ２の上部サイド２Ｕの方へＸ線ビームＸＡの実照射域ＸＡ２がシフトさせられる。
換言すれば、Ｘ線照射域シフト手段が作動した時は、Ｘ線照射中、方形のＸ線ビームＸＡの実照射域の４辺のうち被検体位置決め基準サイドである上部サイド２Ｕ寄りの辺が方形のＸ線検出面２Ａの４辺のうち被検体位置決め基準サイドである上部サイド２Ｕ寄りの辺に一致する処まで縮小サイズ用のＸ線ビームＸＡの実照射域ＸＡ２がシフトさせられることになる。
【００４４】
逆に、立位Ｘ線撮影用の撮影術式の設定下、Ｘ線ビームＸＡの実照射域が縮小サイズから通常サイズに変更指定された時は、操作部１１でＸ線ビームＸＡの実照射域のシフト実行を指令する操作を行なわずとも、Ｘ線管１がコリメータ１２ごと図２中の矢印ＲＢあるいは図３中の矢印Ｒｂで示す向きに移動して、Ｘ線が照射された場合、ＦＰＤ２の中心へＸ線ビームＸＡの実照射域ＸＡ１がシフトさせられる。
より具体的に言えば、Ｘ線ビームＸＡの実照射域ＸＡ２がシフト状態の場合、Ｘ線ビームＸＡの実照射域が通常サイズへ変更指定された時は、Ｘ線照射中、実照射域ＸＡ１とＸ線ビームＸＡの実照射域ＸＡ２のサイズの差ΔＸだけＦＰＤ２の中心の方へＸ線ビームＸＡの実照射域ＸＡ１がシフトさせられることになる。
換言すれば、Ｘ線ビームＸＡの実照射域が縮小サイズから通常サイズに変更指定された時は、Ｘ線照射域シフト手段によるＸ線ビームＸＡの実照射域のシフトが自動的に解除されることになる。
【００４５】
Ｘ線管１がコリメータ１２ごとＸ線検出面２Ａに平行な向きにシフトさせられた場合、Ｘ線画像取得部６は、シフト後のＸ線ビームＸＡの実照射域に位置するＸ線検出素子２ａにより検出されるＸ線検出信号にしたがってＸ線画像を取得する構成とされている。
具体的には、立位Ｘ線撮影用の撮影術式の設定下、Ｘ線ビームＸＡの実照射域が通常サイズから縮小サイズに変更指定された場合、Ｘ線画像取得部６は、実照射域ＸＡ１とＸ線ビームＸＡの実照射域ＸＡ２のサイズの差ΔＸに見合った距離だけ、Ｘ線画像の中心をＦＰＤ２の上部サイド２Ｕの方へシフトさせてＸ線画像を取得する。
立位Ｘ線撮影用の撮影術式の設定下、逆にＸ線ビームＸＡの実照射域が縮小サイズから通常サイズに変更指定された場合、Ｘ線画像取得部６は、実照射域ＸＡ１とＸ線ビームＸＡの実照射域ＸＡ２のサイズの差ΔＸに見合った距離だけ、Ｘ線画像の中心をＦＰＤ２の中心の方へシフトさせてＸ線画像を取得する。
その結果、Ｘ線ビームシフト手段によるＸ線ビームＸＡの実照射域のシフトが行なわれた時も、速やかに適正なＸ線画像を取得することができる。
【００４６】
次に、実施例のＸ線撮影装置により、立位Ｘ線撮影用の撮影術式で被検体Ｍの胸部を撮る場合のＸ線撮影プロセスを図面を参照しながら説明する。図９は実施例の装置により立位Ｘ線撮影用の撮影術式で被検体Ｍの胸部を撮る場合のＸ線撮影プロセスを示すフローチャートである。以下では、通常サイズの時のＸ線ビームＸＡの実照射域は実照射域ＸＡ１になり、縮小サイズの時のＸ線ビームＸＡの実照射域は実照射域ＸＡ２になるものとする。
【００４７】
〔ステップＳ１〕オペレータが保持アーム部材３を回転させて保持アーム部材３を水平にして、Ｘ線管１とＦＰＤ２を水平対向状態にセットする。
【００４８】
〔ステップＳ２〕操作部１１を使用して立位Ｘ線撮影用の撮影術式として「立位」と「胸部正面」を指定する。
【００４９】
〔ステップＳ３〕操作部１１を使用してＸ線ビームＸＡの実照射域を縮小サイズである「１０インチ×１０インチ」を指定する。
【００５０】
〔ステップＳ４〕操作部１１を使用してシフト実行指令用アイコンをクリックしＸ線ビームＸＡの実照射域のシフト実行を指令する。
【００５１】
〔ステップＳ５〕Ｘ線管平行移動機構１５が作動してＸ線管１がコリメータ１２ごと図２中の矢印ＲＡあるいは図３中の矢印Ｒａで示す向きに移動させられる。
【００５２】
〔ステップＳ６〕図３に示すように、被検体Ｍの顎をＦＰＤ２の上部サイド２Ｕに押し当てて被検体Ｍの位置決めを行なう。
【００５３】
〔ステップＳ７〕Ｘ線ビームＸＡを被検体Ｍに照射する。
【００５４】
〔ステップＳ８〕Ｘ線ビームＸＡの照射中は、Ｘ線ビームＸＡの実照射域ＸＡ１は実照射域ＸＡ１とＸ線ビームＸＡの実照射域ＸＡ２のサイズの差ΔＸだけＦＰＤ２の上部サイド２Ｕの方へシフトされた状態となる。
【００５５】
〔ステップＳ９〕Ｘ線画像取得部６が、ＦＰＤ２から出力されるＸ線検出信号にしたがって実照射域ＸＡ１とＸ線ビームＸＡの実照射域ＸＡ２のサイズの差ΔＸに見合った距離だけ、Ｘ線画像の中心をＦＰＤ２の上部サイド２Ｕの方へシフトさせた状態でＸ線画像を取得する。
【００５６】
〔ステップＳ１０〕Ｘ線画像取得部６で取得されたＸ線画像は、適時、表示モニタ１０で表示される他、画像印刷部８で印刷されたり、画像保存部９で保存されたりする。
【００５７】
〔ステップＳ１１〕Ｘ線撮影を続けるのであれば、ステップＳ７へ戻り、Ｘ線撮影が完了であれば、Ｘ線撮影は終了となる。
【００５８】
以上に述べたように、実施例の装置の場合は、臥位Ｘ線撮影用の撮影術式専用のＸ線撮影装置と立位Ｘ線撮影用の撮影術式専用のＸ線撮影装置の両方を設置せずとも、Ｘ線管１とＦＰＤ２が取り付けられている保持アーム部材３を回転させる程度のことで、臥位Ｘ線撮影用の撮影術式と立位Ｘ線撮影用の撮影術式が一つの装置で簡単に選択設定できるので、省装置化が図れる。
【００５９】
さらに、実施例の装置では、ＦＰＤ２の上部サイド２ＵがＸ線撮影の際の被検体位置決め基準サイドとして予め定められている立位撮影術式でＸ線撮影が行なわれるのに加えて、Ｘ線検出面２ＡにおけるＸ線ビームＸＡの実照射域のサイズが通常サイズよりも小さい縮小サイズに指定された場合、Ｘ線管平行移動機構１５を駆動するＸ線照射域シフト制御部１６とからなるＸ線照射域シフト手段の作動によりＸ線管１がコリメータ１２ごとＸ線検出面２Ａに平行な向きに移動させられて、Ｘ線照射中、Ｘ線検出面２ＡにおけるＸ線ビームＸＡの実照射域が通常サイズと縮小サイズの間のサイズの差ΔＸだけ被検体位置決め基準サイドの方へシフトさせられる。その結果、Ｘ線ビームＸＡの実照射域と被検体位置決め基準サイドの間隔が縮まり、ＦＰＤ２の上部サイド２Ｕに対するＸ線ビームＸＡの実照射域の位置ズレが解消される。
【００６０】
また、Ｘ線ビームＸＡの実照射域はＸ線照射域シフト手段により単にシフトするだけでＸ線検出面２ＡにおけるＸ線ビームＸＡの実照射域のサイズには変化がないので、Ｘ線ビームＸＡの実照射域とＸ線画像の対応関係は崩れない。それに、Ｘ線照射域シフト手段によりＸ線管１はＸ線検出面２Ａに平行な向きに移動させられるだけでＸ線ビームＸＡの照射方向には変化がないので、Ｘ線検出面２Ａに対するＸ線ビームＸＡの向きも狂わない。その結果、ＦＰＤ２の上部サイド２Ｕに対するＸ線ビームＸＡの実照射域の位置ズレの解消は適切になされることになる。
【００６１】
よって、実施例のＸ線撮影装置によれば、省装置化が図れる利点を損なわずに、立位撮影術式で行なわれるＸ線撮影の際の被検体位置決め基準サイドとして予め定められているＦＰＤ２の上部サイド２Ｕに対するＸ線ビームＸＡの実照射域の位置ズレを適切に解消することができる。
【００６２】
この発明は、上記の実施例に限られるものではなく、以下のように変形実施することも可能である。
（１）実施例の装置の場合、ＦＰＤ２が透過Ｘ線像検出用のＸ線受像手段として用いられていたが、Ｘ線フィルムを装填したカセッテ等も、Ｘ線受像手段として用いることができる。
【００６３】
（２）実施例の装置において、撮影術式の指定とＸ線ビームの実照射域のサイズの指定の両方が完了するのに連動してＸ線照射域シフト手段が作動する他は、実施例と同一の構成のＸ線撮影装置が、変形例として挙げられる。つまり、変形例の装置の場合、撮影術式として「立位」と「胸部正面」を指定すると共にＸ線ビームＸＡの実照射域のサイズとして縮小サイズの「１０インチ×１０インチ」を指定すると、Ｘ線照射域シフト手段が自動的に作動する。したがって、変形例の装置は、Ｘ線照射域シフト手段を作動させる操作が不要であるという利点を有する。
【００６４】
（３）実施例の装置において、撮影術式の指定とＸ線ビームの実照射域のサイズの指定とが、ひとつの操作で纏めて行なわれる他は、実施例と同一の構成のＸ線撮影装置が、変形例として挙げられる。つまり変形例の装置の場合、撮影術式としての「立位」および「胸部正面」と、Ｘ線ビームＸＡの実照射域のサイズとして縮小サイズの「１０インチ×１０インチ」とが、ひとつの操作（例えば表示モニタ１０に表示されているひとつのアイコンを１回クリックする操作）で纏めて指定される。したがって、変形例の装置は、撮影術式とＸ線ビームの実照射域のサイズの指定操作が容易であるという利点を有する。
【００６５】
さらに、この変形例の装置において、撮影術式としての「立位」および「胸部正面」と、Ｘ線ビームＸＡの実照射域のサイズとして縮小サイズの「１０インチ×１０インチ」との指定を纏めて行なう操作によって、Ｘ線照射域シフト手段も作動させられる構成にすると、Ｘ線照射域シフト手段を作動させる操作が不要となる利点が加わることになる。
【００６６】
（４）実施例の装置の場合、立位撮影術式で行なわれるＸ線撮影の際の被検体位置決め基準サイドがＦＰＤ２の上部サイド２Ｕであったが、被検体位置決め基準サイドは上部サイド２Ｕに限らず、他のサイドであってもよい。
【００６７】
（５）実施例の装置の場合、立位撮影術式で行なわれるＸ線撮影の際にＸ線照射域シフト手段によるＸ線ビームの実照射域のシフトが行なわれる構成であったが、立位撮影術式以外の術式で行なわれるＸ線撮影の際にＸ線照射域シフト手段によるＸ線ビームの実照射域のシフトが行なわれる構成であってもよい。
【００６８】
（６）実施例の装置は医用の装置であったが、この発明は医用以外に工業用や原子力用の装置にも適用することができる。
【図面の簡単な説明】
【００６９】
【図１】実施例のＸ線撮影装置の構成を臥位Ｘ線撮影時の状態で示すブロック図である。
【図２】実施例の装置のＸ線撮像系の臥位Ｘ線撮影時の状態を示す立面図である。
【図３】実施例の装置のＸ線撮像系の立位Ｘ線撮影時の状態を示す立面図である。
【図４】実施例の装置のＦＰＤのＸ線検出面へのＸ線ビームの照射状況を示す斜視図である。
【図５】実施例の装置での通常サイズおよび縮小サイズのＸ線ビームの実照射域をそれぞれ示す平面図である。
【図６】実施例の装置のＦＰＤのＸ線検出面の構成を示す平面図である。
【図７】実施例の装置のＸ線管およびＸ線管平行移動機構まわりの構成を部分的に示す立面図である。
【図８】実施例の装置での縮小サイズのＸ線ビームの実照射域のシフト前とシフト後の状態を示す平面図である。
【図９】実施例の装置により立位Ｘ線撮影用の撮影術式で被検体の胸部を撮る場合のＸ線撮影プロセスを示すフローチャートである。
【図１０】従来装置のＸ線撮像系の構成を示す概略図である。
【図１１】従来装置のＸ線撮像系の臥位Ｘ線撮影時の状態を示す立面図である。
【図１２】従来装置のＸ線撮像系の立位Ｘ線撮影時の状態を示す立面図である。
【図１３】従来装置での通常サイズと縮小サイズのＸ線ビームの実照射域を示す平面図である。
【符号の説明】
【００７０】
１              …Ｘ線管（Ｘ線照射手段）
２              …ＦＰＤ（Ｘ線受像手段）
２Ａ            …Ｘ線検出面
２ａ            …Ｘ線検出素子
２Ｕ            …上部サイド（被検体位置決め基準サイドとしての特定サイド）
３              …保持アーム部材
６              …Ｘ線画像取得部（Ｘ線画像取得手段）
１２            …コリメータ（Ｘ線照射域サイズ指定手段）
１３            …Ｘ線照射域サイズ指定部（Ｘ線照射域サイズ指定手段）
１４            …撮影術式指定部（撮影術式指定手段）
１５            …Ｘ線管平行移動機構（Ｘ線照射域シフト手段の一部）
１６            …Ｘ線照射域シフト制御部（Ｘ線照射域シフト手段の一部）
ＸＡ            …Ｘ線ビーム
ＸＡ１，ＸＡ２  …Ｘ線ビームの実照射域
ΔＸ            …サイズの差
Ｍ              …被検体
【図１】
2007020869.tif 000003
【図２】
2007020869.tif 000004
【図３】
2007020869.tif 000005
【図４】
2007020869.tif 000006
【図５】
2007020869.tif 000007
【図６】
2007020869.tif 000008
【図７】
2007020869.tif 000009
【図８】
2007020869.tif 000010
【図９】
2007020869.tif 000011
【図１０】
2007020869.tif 000012
【図１１】
2007020869.tif 000013
【図１２】
2007020869.tif 000014
【図１３】
2007020869.tif 000015